(57)【要約】      （修正有）【課題】撮像画角の決定から撮像までの時間短縮を可能とする。【解決手段】被写体を撮像して画像のデータを生成する撮像部と、指定されたズーム倍率でズーム処理するデジタルズーム部と、画像を表示する表示部とからなる電子カメラである。まず、撮影画像をもとにデジタルズームより第１画像を生成して表示する。その後に、受け付けたズーム倍率に応じて、光学ズームを行う。光学ズームを行っている最中にレリーズ指示を受け付けた場合には、光学ズームを中断する。その時点で、第２画像を撮像し、第２画像データに対してデジタルズームを施す。そして、第１画像の画角に対応し、かつ、第１画像と同じ大きさに相当する画像を生成する。【選択図】図１
2009177689.tif 000002
【特許請求の範囲】
【請求項１】
被写体を撮像して画像のデータを生成する撮像部と、
ユーザからズーム倍率の指定を受け付ける受付部と、
前記ズーム倍率部によりズーム倍率の指定を受け付けると、前記撮像部により生成された画像のデータに対してデジタルズームを施して、前記ズーム倍率部により受け付けたズーム倍率に対応する画角の第１画像を生成するデジタルズーム部と、
前記第１画像を表示する表示部と、
前記デジタルズーム部により前記第１画像が生成された後に、前記ズーム倍率部により受け付けたズーム倍率に応じて、光学ズームを行う光学ズーム部と、
ユーザからレリーズ指示を受け付けるレリーズ部とを備え、
前記光学ズーム部が光学ズームを行っている最中に、前記レリーズ部によりレリーズ指示を受け付けた場合に、
前記光学ズーム部は、光学ズームを中断し、
前記撮像部は、第２画像のデータを生成し、
前記デジタルズーム部は、前記第２画像のデータに対してデジタルズームを施して、前記第１画像の画角に対応し、かつ、前記第１画像と同じ大きさに相当する画像を生成する
ことを特徴とする電子カメラ。
【請求項２】
請求項１に記載の電子カメラにおいて、
前記第２画像から前記第１画像の画角に対応する画像を切り出すとともに、前記切り出した画像が所定の画素数を満足するか否かを判定する判定部をさらに備え、
前記光学ズーム部は、前記切り出した画像が所定の画素数を満足しない場合には、光学ズームを再開して、前記第１画像の画角に対応する画像が所定の画素数を満足するように、さらに光学ズームを行い、
前記撮像部は、前記光学ズーム部によりさらに光学ズームが行われた後に、第３画像のデータを生成し、
前記デジタルズーム部は、前記第３画像のデータに対してデジタルズームを施して、前記第１画像の画角に対応し、かつ、前記第１画像と同じ大きさに相当する画像を生成する
ことを特徴とする電子カメラ。
【請求項３】
請求項１に記載の電子カメラにおいて、
前記第２画像から前記第１画像の画角に対応する画像を切り出すとともに、前記切り出した画像が所定の画素数を満足するか否かを判定する判定部と、
前記切り出した画像が所定の画素数を満足しない場合に、ユーザに対して警告を出力する警告部とをさらに備える
ことを特徴とする電子カメラ。
【発明の詳細な説明】
【技術分野】
【０００１】
本発明は、電子カメラに関する。
【背景技術】
【０００２】
デジタルズームは、光学ズームと比較して撮像画角の変更が早く、消費電力が少ない。そこで、従来から、スルー画像撮像時にユーザからズーム倍率の指定を受け付けると、光学ズームに先立ちデジタルズームを行い、デジタルズームにより撮像画角を決定した後に、光学ズームを行って本画像を撮像する電子カメラが知られている。
【特許文献１】特開２００２−３３９５１号公報
【発明の開示】
【発明が解決しようとする課題】
【０００３】
しかし、上述した電子カメラは、光学ズームが終了した後に、撮像が可能となる。そのため、鏡筒や高倍率ズームレンズ等を備える場合には、撮像が可能となるまでに時間がかかり、シャッターチャンスを逃すおそれがあった。
【０００４】
そこで、本発明の電子カメラは、撮像画角の決定から撮像までの時間短縮を可能とすることを目的とする。
【課題を解決するための手段】
【０００５】
本発明の電子カメラは、被写体を撮像して画像のデータを生成する撮像部と、ユーザからズーム倍率の指定を受け付ける受付部と、前記ズーム倍率部によりズーム倍率の指定を受け付けると、前記撮像部により生成された画像のデータに対してデジタルズームを施して、前記ズーム倍率部により受け付けたズーム倍率に対応する画角の第１画像を生成するデジタルズーム部と、前記第１画像を表示する表示部と、前記デジタルズーム部により前記第１画像が生成された後に、前記ズーム倍率部により受け付けたズーム倍率に応じて、光学ズームを行う光学ズーム部と、ユーザからレリーズ指示を受け付けるレリーズ部とを備え、前記光学ズーム部が光学ズームを行っている最中に、前記レリーズ部によりレリーズ指示を受け付けた場合に、前記光学ズーム部は、光学ズームを中断し、前記撮像部は、第２画像のデータを生成し、前記デジタルズーム部は、前記第２画像のデータに対してデジタルズームを施して、前記第１画像の画角に対応し、かつ、前記第１画像と同じ大きさに相当する画像を生成する。
【０００６】
なお、好ましくは、前記第２画像から前記第１画像の画角に対応する画像を切り出すとともに、前記切り出した画像が所定の画素数を満足するか否かを判定する判定部をさらに備え、前記光学ズーム部は、前記切り出した画像が所定の画素数を満足しない場合には、光学ズームを再開して、前記第１画像の画角に対応する画像が所定の画素数を満足するように、さらに光学ズームを行い、前記撮像部は、前記光学ズーム部によりさらに光学ズームが行われた後に、第３画像のデータを生成し、前記デジタルズーム部は、前記第３画像のデータに対してデジタルズームを施して、前記第１画像の画角に対応し、かつ、前記第１画像と同じ大きさに相当する画像を生成しても良い。
【０００７】
また、好ましくは、前記第２画像から前記第１画像の画角に対応する画像を切り出すとともに、前記切り出した画像が所定の画素数を満足するか否かを判定する判定部と、前記切り出した画像が所定の画素数を満足しない場合に、ユーザに対して警告を出力する警告部とをさらに備えても良い。
【発明の効果】
【０００８】
本発明の電子カメラによれば、撮像画角の決定から撮像までの時間短縮が可能となる。
【発明を実施するための最良の形態】
【０００９】
（第１実施形態）
以下、図面を用いて本発明の第１実施形態について説明する。図１は、本発明の第１実施形態における電子カメラ１の構成を示すブロック図である。図１に示すように、電子カメラ１は、撮像レンズ２、ズーム駆動部３、撮像素子４、Ａ／Ｄ変換部５、画像処理部６、バッファメモリ７、制御部８、表示部９、記録Ｉ／Ｆ部１０、記録媒体１１、操作部１２、バス１３を備える。なお、画像処理部６、バッファメモリ７、制御部８、記録Ｉ／Ｆ部１０はそれぞれバス１３を介して相互に接続される。Ａ／Ｄ変換部５の出力はバス１３を介して画像処理部６に接続される。また、画像処理部６、記録Ｉ／Ｆ部１０の出力はそれぞれバス１３を介して表示部９に接続される。
【００１０】
撮像レンズ２は、撮像素子４の撮像面に被写体像を結像させる。撮像レンズ２は、ズームレンズ２ａを含む複数のレンズ群で構成される。ズームレンズ２ａのレンズ位置は、ズーム駆動部３により調整される。
【００１１】
撮像素子４は、撮像レンズ２を通過した光束による被写体像を光電変換し、アナログの画像信号を出力する。また、撮像素子４は、撮影待機時（非レリーズ時）にも所定間隔毎に間引き読み出しでスルー画像を撮像する。上記のスルー画像は、表示部９に表示される。Ａ／Ｄ変換部５は、撮像素子４の出力信号のＡ／Ｄ変換を行う。画像処理部６は、Ａ／Ｄ変換部５から出力されたデータに各種の画像処理（色補間、階調変換処理、輪郭強調処理、ホワイトバランス調整など）を施す。また、画像処理部６は、記録媒体１１に画像のデータを記録する前にＪＰＥＧ形式などで圧縮する処理や、圧縮された上記のデータを伸長復元する処理をも実行する。さらに、画像処理部６は、画像のデータに対してデジタルズームを施す。バッファメモリ７は、画像処理部６による画像処理の前工程や後工程で画像のデータを一時的に記録する。
【００１２】
制御部８は、所定のシーケンスプログラムにしたがって、電子カメラ１の統括的な制御を行うプロセッサである。また、制御部８は、ユーザが所望する画角の画像が後述の最低画素数を満足するか否かを判定する。表示部９は、制御部８の制御により各種の画像を表示する。表示部９に表示される各種の画像は、本画像、スルー画像、記録媒体１１に記録した画像、メニュー画面などを含む。記録Ｉ／Ｆ部１０は、記録媒体１１を接続するためのコネクタが形成される。そして、記録Ｉ／Ｆ部１０は、コネクタに接続された記録媒体１１に対してデータの書き込み／読み込みを実行する。
【００１３】
操作部１２は、レリーズ釦１２ａやズーム釦１２ｂなどを有する。レリーズ釦１２ａは、撮像動作の指示をユーザから受け付ける。ズーム釦１２ｂは、ズーム倍率の指定をユーザから受け付ける。ズーム釦１２ｂは、ズームレンズ２ａのＷＩＤＥ側への移動を指示するＷＩＤＥキーとＴＥＬＥ側への移動を指示するＴＥＬＥキーから構成される。
【００１４】
図２は、第１実施形態の電子カメラ１における撮像時の制御部８の動作を示すフローチャートである。ここで、ズームレンズ２ａの位置について説明する。電子カメラ１は、ズーム釦１２ｂを介してズーム倍率の指定を受け付けると、撮像画角の変更が早く、消費電力が少ないことから、光学ズームに先立ってデジタルズームを行う。しかし、デジタルズームでは、ＴＥＬＥ側の画像を得ることはできるが、ＷＩＤＥ側の画像を得ることはできない。
【００１５】
そこで、第１実施形態の電子カメラ１は、撮像開始時にはＷＩＤＥ端にズームレンズ２ａを配置して、予め広い画角でスルー画像を撮像するとともに、撮像したスルー画像の一部をデジタルズームにより拡大して表示部９に表示する。そして、ズーム釦１２ｂのＷＩＤＥキーが押された場合には、デジタルズームの倍率を下げ、撮像画角を広げて生成したスルー画像、または、デジタルズームを施していないスルー画像を表示部９に表示する。これにより、ユーザは、瞬時にＴＥＬＥ側の画像を得ることができる。なお、ズームレンズ２ａは、撮像開始時にはＷＩＤＥ端に配置されるが、ズーム釦１２ｂのＴＥＬＥキーが押されたときにはＴＥＬＥ側に移動する。
【００１６】
ステップＳ１で、制御部８は、操作部１２を介して、ユーザから最低画素数の指定を受け付ける。最低画素数は、ユーザが所望する画角の画像に含まれる画素数の下限値である。また、制御部８は、ユーザが所望する画角の画像が最低画素数を満たさない場合に、画質を優先するか、またはレリーズタイムラグの短さを優先するかを受け付ける。
【００１７】
ステップＳ２で、制御部８は、撮像素子４を制御して、スルー画像の撮像を開始する。なお、上述した通り、制御部８は、画像処理部６を制御して、スルー画像のデータに対して拡大するデジタルズームを施して、拡大したスルー画像を生成する。そして、制御部８は、画像処理部６により生成したスルー画像を表示部９に表示する。
【００１８】
ステップＳ３で、制御部８は、ズーム釦１２ｂが押されることにより、ユーザからズーム倍率の指定を受け付けたか否かを判定する。ズーム釦１２ｂのＴＥＬＥキーが押された場合には、ステップＳ４に移行する。ズーム釦１２ｂのＷＩＤＥキーが押された場合には、後述するステップＳ１６に移行する。また、ズーム釦１２ｂが押されない場合には、後述するステップＳ１７に移行する。
【００１９】
ステップＳ４で、制御部８は、画像処理部６を制御して、デジタルズームの倍率を上げ、ステップＳ２で生成したスルー画像のデータに基づいて、ステップＳ３で受け付けたズーム倍率に対応する画角であり、かつ、ステップＳ２で生成したスルー画像と同じ大きさに相当する第１画像を生成する。例えば、制御部８は、画像処理部６を制御して、ステップＳ２で生成したスルー画像からステップＳ３で受け付けたズーム倍率に対応する画角の画像を切り出すとともに、切り出した画像をステップＳ２で生成したスルー画像の大きさに拡大して、第１画像を生成する。そして、制御部８は、第１画像を表示部９に表示する。
【００２０】
ステップＳ５で、制御部８は、レリーズ釦１２ａが半押しされたか否かを判定する。レリーズ釦１２ａが半押しされた場合には、ステップＳ６に移行する。一方、レリーズ釦１２ａが半押しされない場合には、ユーザが撮像画角を検討している可能性が高いため、レリーズ釦１２ａが半押しされるまで待機する。
【００２１】
ステップＳ６で、制御部８は、光学ズームを開始する前に、すなわち、ズーム駆動部３を制御して、ステップＳ３で受け付けたズーム倍率に対応する位置までズームレンズ２ａを移動する前に、レリーズ釦１２ａが全押しされたか否かを判定する。レリーズ釦１２ａが全押しされた場合（ＹＥＳ）には、ステップＳ７に移行する。一方、レリーズ釦１２ａが全押しされない場合（ＮＯ）には、ステップＳ８に移行する。
【００２２】
ステップＳ７で、制御部８は、撮像素子４を制御して、本画像を撮像する。そして、制御部８は、画像処理部６を制御して、本画像のデータを生成するとともに、生成した本画像のデータを記録媒体１１に記録する。本画像の撮像の詳細については、後述する。
【００２３】
ステップＳ８で、制御部８は、ズーム駆動部３を制御して、ステップＳ３で受け付けたズーム倍率に対応する位置まで、ズームレンズ２ａを移動する。
【００２４】
ステップＳ９で、制御部８は、ズームレンズ２ａの移動が完了したか否かを判定する。ズームレンズ２ａの移動が完了していない場合（ＮＯ）には、ステップＳ１０に移行する。一方、ズームレンズ２ａの移動が完了した場合（ＹＥＳ）には、ステップＳ１３に移行する。
【００２５】
ステップＳ１０で、制御部８は、光学ズームを行っている最中に、すなわち、ズーム駆動部３を制御して、ステップＳ３で受け付けたズーム倍率に対応する位置までズームレンズ２ａを移動している最中に、レリーズ釦１２ａが全押しされたか否かを判定する。レリーズ釦１２ａが全押しされた場合（ＹＥＳ）には、ステップＳ１１に移行する。一方、レリーズ釦１２ａが全押しされない場合（ＮＯ）には、ステップＳ８に戻る。
【００２６】
ステップＳ１１で、制御部８は、ズーム駆動部３を制御して、ズームレンズ２ａを停止する。
【００２７】
ステップＳ１２で、制御部８は、撮像素子４を制御して、本画像を撮像する。そして、制御部８は、画像処理部６を制御して、本画像のデータを生成するとともに、生成した本画像のデータを記録媒体１１に記録する。本画像の撮像の詳細については、後述する。その後、制御部８は、ステップＳ１５に移行する。
【００２８】
ステップＳ１３で、制御部８は、光学ズームが終了した後に、すなわち、ズーム駆動部３を制御して、ステップＳ３で受け付けたズーム倍率に対応する位置までズームレンズ２ａを移動した後に、レリーズ釦１２ａが全押しされたか否かを判定する。レリーズ釦１２ａが全押しされた場合（ＹＥＳ）には、ステップＳ１４に移行する。一方、レリーズ釦１２ａが全押しされない場合（ＮＯ）には、レリーズ釦１２ａが全押しされるまで待機する。
【００２９】
ステップＳ１４で、制御部８は、撮像素子４を制御して、本画像を撮像する。そして、制御部８は、画像処理部６を制御して、本画像のデータを生成するとともに、生成した本画像のデータを記録媒体１１に記録する。
【００３０】
ステップＳ１５で、制御部８は、ズーム駆動部３を制御して、ＷＩＤＥ端にズームレンズ２ａを戻し、一連の処理を終了する。
【００３１】
ステップＳ３でズーム釦１２ｂのＷＩＤＥキーが押された場合には、ステップＳ１６で、制御部８は、画像処理部６を制御して、デジタルズームの倍率を下げ、ステップＳ２で生成したスルー画像のデータに基づいて、第１画像を生成する。制御部８は、第１画像を表示部９に表示する。その後、レリーズ釦１２ａが全押しされた場合には、制御部８は、撮像素子４を制御して、本画像を撮像する。そして、制御部８は、画像処理部６を制御して、第１画像の画角に対応し、かつ、第１画像と同じ大きさに相当する本画像のデータを生成するとともに、生成した本画像のデータを記録媒体１１に記録する。
【００３２】
ステップＳ３でズーム釦１２ｂが押されない場合には、ステップＳ１７で、制御部８は、画像処理部６を制御して、デジタルズームの倍率を変えることなく、ステップＳ２で生成したスルー画像を表示部９に表示する。その後、レリーズ釦１２ａが全押しされた場合には、制御部８は、撮像素子４を制御して、本画像を撮像する。そして、制御部８は、画像処理部６を制御して、スルー画像の画角に対応し、かつ、スルー画像と同じ大きさに相当する本画像のデータを生成するとともに、生成した本画像のデータを記録媒体１１に記録する。
【００３３】
次に、図２のフローチャートのステップＳ７およびステップＳ１２で説明した本画像の撮像について説明する。図３は、光学ズームを開始する前（ステップＳ７の前）、または、光学ズームを行っている最中（ステップＳ１２の前）にレリーズ釦１２ａが全押しされた場合の制御部８の動作を示すフローチャートである。
【００３４】
ステップＳ２１で、制御部８は、撮像素子４を制御して、本画像を撮像する。
【００３５】
ステップＳ２２で、制御部８は、ステップＳ２１で撮像した本画像から第１画像の画角に対応する画像を切り出して、切り出した画像の画素数を算出する。
【００３６】
ステップＳ２３で、制御部８は、ステップＳ２２で算出した画素数が最低画素数を満足するか否かを判定する。最低画素素を満足する場合（ＹＥＳ）には、ステップＳ２４に移行する。一方、最低画素数を満足しない場合（ＮＯ）には、ステップＳ２５に移行する。
【００３７】
ステップＳ２４で、制御部８は、画像処理部６を制御して、ステップＳ２１で撮像した本画像のデータにデジタルズームを施して、第１画像の画角に対応し、かつ、第１画像と同じ大きさに相当する画像を生成する。例えば、制御部８は、画像処理部６を制御して、ステップＳ２１で撮像した本画像から第１画像の画角に対応する画像を切り出すとともに、切り出した画像を第１画像の大きさに拡大する。
【００３８】
ステップＳ２５で、制御部８は、表示部９に警告を表示する。例えば、制御部８は「撮影された画像は画質が低い可能性があります。」等のメッセージを表示部９に表示する。なお、警告の手段はメッセージ表示に限定されず、音声による警告や、ＬＥＤ等の点滅または点灯による警告等によっても構わない。
【００３９】
ステップＳ２６で、制御部８は、ステップＳ１の設定に応じて、画質を優先する場合（ＹＥＳ）には、ステップＳ２７に移行する。一方、レリーズタイムラグの短さを優先する場合（ＮＯ）には、ステップＳ２４に移行する。
【００４０】
図４は、ズームレンズ２ａの位置と画素数との関係を示す図である。例えば、ステップＳ２１で撮像した本画像を画像Ａとし、ズームレンズ２ａの位置をＡ’とする。画像Ａから第１画像の画角に対応する画像を切り出して、切り出した画像の画素数をＡ１とする。また、ステップＳ３で受け付けたズーム倍率に対応する位置までズームレンズを移動して、撮像した画像の画素数をＣ１とする。レリーズタイムラグを優先する場合には、Ａ１とＣ１との差分ａに基づいて、画像Ａから切り出した画像を第１画像の大きさに拡大する。
【００４１】
ステップＳ２７で、制御部８は、ズーム駆動部３を制御して、第１画像の画角に対応する画像が最低画素数を満足するように、さらにズームレンズ２ａを移動する。例えば、図４のＡ’の位置から最低画素数を満足するＢ’の位置までズームレンズ２ａを移動する。これにより、ユーザが所望する画素数を満足する画像が得ることができる。
【００４２】
ステップＳ２８で、制御部８は、撮像素子４を制御して、再び本画像を撮像する。
【００４３】
ステップＳ２９で、制御部８は、画像処理部６を制御して、ステップＳ２８で撮像した本画像のデータにデジタルズームを施して、第１画像の画角に対応し、かつ、第１画像と同じ大きさに相当する画像を生成する。例えば、制御部８は、ステップＳ２８で撮像した本画像から第１画像の画角に対応する画像を切り出すとともに、切り出した画像を第１画像の大きさに拡大する。例えば、図４のＢ’の位置までズームレンズ２ａを移動して、撮像した画像を画像Ｂとする。画像Ｂから第１画像の画角に対応する画像を切り出して、切り出した画像の画素数をＢ１とする。画質を優先する場合には、Ｂ１と上述したＣ１との差分ｂに基づいて、画像Ｂから切り出した画像を第１画像の大きさに拡大する。
【００４４】
ステップＳ３０で、制御部８は、ステップＳ２４またはステップＳ２９で生成した本画像のデータを記録媒体１１に記録する。
【００４５】
第１実施形態の電子カメラによれば、光学ズームの終了を待つことなく撮像が可能であるため、デジタルズームにより撮像画角を決定してから本画像を撮像するまでの時間を短縮できる。したがって、シャッターチャンスを逃すおそれを減らすことができる。
【００４６】
また、ズーム倍率に対応する画素数が最低画素数を満足しない場合には、画質を優先するか、またはレリーズタイムラグの短さを優先するかを選択できるため、ユーザにとって使い勝手のよい電子カメラとなる。
【００４７】
さらに、第１実施形態の電子カメラによれば、撮像開始時には、ズームレンズをＷＩＤＥ端に移動して、予め広い画角の画像を撮像する。したがって、ユーザからズーム倍率の指定を受け付けると、ＴＥＬＥ側だけでなくＷＩＤＥ側にもレスポンスよく撮像画角を変更することができる。
（第２実施形態）
以下、本発明の第２実施形態について説明する。第１実施形態ではズームレンズ２ａが通常の撮像時にはＷＩＤＥ端に配置される例を示したが、第２実施形態ではズームレンズ２ａが任意の位置に配置される例を示す。
【００４８】
ここで、以下の実施形態における電子カメラの構成は、図１に示す第１実施形態の電子カメラ１と共通するので重複説明を省略する。また、電子カメラ１は、第１実施形態と同様に、ズーム釦１２ｂを介してズーム倍率の指定を受け付けると、光学ズームに先立ってデジタルズームを行うことを前提に説明を行う。
【００４９】
図５は、第２実施形態の電子カメラ１における撮像時の制御部８の動作を示すフローチャートである。
【００５０】
ステップＳ１０１からステップＳ１１４において制御部８は、図２のステップＳ１からステップＳ１４と同様の処理を行う。
【００５１】
ステップＳ１０３でズーム釦１２ｂのＷＩＤＥキーが押された場合には、ステップＳ１１５で、制御部８は、以下の処理を行う。まず、制御部８は、ズームレンズ２ａの位置がＷＩＤＥ端にあるか否かを判定する。そして、ズームレンズ２ａがＷＩＤＥ端にない場合には、制御部８は、ズーム駆動部３を制御して、ステップＳ１０２で受け付けたズーム倍率に対応する位置までズームレンズを移動する。一方、ズームレンズ２ａがＷＩＤＥ端にある場合には、制御部８は、これ以上広い画角の画像を得ることができないため、「ＷＩＤＥ側の画像を得ることができません。」等のメッセージを表示部９に表示するか、または、ＷＩＤＥキーの操作の受け付けを中止しても良い。その後、レリーズ釦１２ａが全押しされた場合には、制御部８は、撮像素子４を制御して、本画像を撮像する。そして、制御部８は、画像処理部６を制御して、スルー画像の画角に対応し、かつ、スルー画像と同じ大きさに相当する本画像のデータを生成するとともに、生成した本画像のデータを記録媒体１１に記録する。
【００５２】
ステップＳ１０３でズーム釦１２ｂが押されない場合には、ステップＳ１１６で、制御部８は、ステップＳ１０２で撮像したスルー画像を表示部９に表示する。その後、レリーズ釦１２ａが全押しされた場合には、制御部８は、撮像素子４を制御して、本画像を撮像する。そして、制御部８は、画像処理部６を制御して、スルー画像の画角に対応し、かつ、スルー画像と同じ大きさに相当する本画像のデータを生成するとともに、生成した本画像のデータを記録媒体１１に記録する。
【００５３】
次に、図５のフローチャートのステップＳ１０７およびステップＳ１１２における本画像の撮像について説明する。図６は、光学ズームを開始する前（ステップＳ１０７の前）、または、光学ズームを行っている最中（ステップＳ１１２の前）にレリーズ釦１２ａが全押しされた場合の制御部８の動作を示すフローチャートである。
【００５４】
ステップＳ２０１からステップＳ２１０において制御部８は、図３のステップＳ２１からステップＳ３０と同様の処理を行う。
【００５５】
なお、上述した通り、第２実施形態のズームレンズ２ａは、任意の位置に配置されるため、ＴＥＬＥ側およびＷＩＤＥ側に移動できる。しかし、デジタルズームでは、ＴＥＬＥ側の画像を得ることはできるが、ＷＩＤＥ側の画像を得ることはできない。そこで、第１実施形態のように、第２実施形態の電子カメラ１においても、ズームレンズ１２ｂのＷＩＤＥキーが押されたときに、瞬時にＴＥＬＥ側の画像を得るために、撮像したスルー画像をデジタルズームにより拡大して表示部９に表示しても良い。この場合、ステップＳ１１５において、ＷＩＤＥキーが押されたとき、デジタルズームの倍率が１より大きい場合には、図２のステップＳ１６と同様の処理を行う。
【００５６】
第２実施形態の電子カメラによれば、第１実施形態の場合と同様の処理の効果を得ることができる。特に、第２実施形態の電子カメラによれば、光学ズーム終了後にＷＩＤＥ端にズームレンズを戻すことなく、デジタルズームにより撮像画角を決定してから本画像を撮像するまでの時間を短縮できる。
【００５７】
なお、第１実施形態の画像を拡大するデジタルズームにおいて、制御部８は、画像処理部６を制御して、本画像から第１画像の画角に対応する画像を切り出すとともに、切り出した画像を第１画像の大きさに拡大する例を示したが、デジタルズームの流れはこれに限らない。例えば、制御部８は、画像処理部６を制御して、ステップＳ３で受け付けたズーム倍率に基づいて、本画像の画角を拡大する。そして、制御部８は、画像処理部６を制御して、拡大した本画像から第１画像の画角に対応し、かつ、第１画像と同じ大きさに相当する画像を切り出しても良い。また、第２実施形態においても同様の構成としても良い。
【００５８】
また、図３のステップＳ２３において、制御部８は、本画像から第１画像の画角に対応する画像を切り出して、切り出した画像の画素数を判定したが、これに限らない。例えば、制御部８は、ステップＳ１０でレリーズ釦１２ａが全押しされる直前のスルー画像から第１画像の画角に対応する画像を切り出して、切り出した画像の画素数に基づいて、判定しても良い。また、第２実施形態においても同様の構成としても良い。
【００５９】
また、図３のステップＳ３０で、制御部８は、ステップＳ２３で最低画素数を満足しない場合には、ステップＳ２９で生成した本画像のデータを記録媒体１１に記録する例を示したが、これに限らない。例えば、制御部８は、ステップＳ２３で最低画素数を満足しない場合に、ステップＳ２１で撮像した本画像に基づいて、第１画像の画角に対応し、かつ、第１画像と同じ大きさに相当する画像を生成する。そして、制御部８は、この画像のデータと、ステップＳ２９で生成した本画像のデータとを記録媒体１１に記録する構成にしても良い。また、第２実施形態においても同様の構成としても良い。
【図面の簡単な説明】
【００６０】
【図１】第１実施形態の電子カメラ１の構成を示すブロック図である。
【図２】第１実施形態の電子カメラ１における撮像時の制御部８の動作を示すフローチャートである。
【図３】第１実施形態の電子カメラ１における光学ズームを開始する前、または、光学ズームを行っている最中にレリーズ釦１２ａが全押しされた場合の制御部８の動作を示すフローチャートである。
【図４】ズームレンズ２ａの位置と画素数との関係を示す図である。
【図５】第２実施形態の電子カメラ１における撮像時の制御部８の動作を示すフローチャートである。
【図６】第２実施形態の電子カメラ１における光学ズームを開始する前、または、光学ズームを行っている最中にレリーズ釦１２ａが全押しされた場合の制御部８の動作を示すフローチャートである。
【符号の説明】
【００６１】
１…電子カメラ、２…撮像レンズ、３…ズーム駆動部、４…撮像素子、６…画像処理部、８…制御部、９…表示部、１２…操作部
【図１】
2009177689.tif 000003
【図２】
2009177689.tif 000004
【図３】
2009177689.tif 000005
【図４】
2009177689.tif 000006
【図５】
2009177689.tif 000007
【図６】
2009177689.tif 000008